(57)【要約】      （修正有）【課題】フェンスへの取り付けも容易で耐候性にも優れ、マンションのベランダを初めとする各所のフェンスに使用して、人の目に鮮明な緑色植物の景観と潤いを提供する。【解決手段】目隠しスクリーン１は、フェンス８の周囲枠を構成する支柱１０に固定される柔軟なフェルト材の表裏面に、植物のツタの葉様の葉の絵柄２を緑色系統の色で大小にかつ分散して描出し、フェルト材の残部を濃い黒色に施して葉に対する陰影部３とすると共に、該陰影部３に小孔の通気孔４を穿設して構成される。葉の絵柄２が陰影部３を背景に大きなコントラストではっきりと浮き出て見え、目隠しスクリーン１を遠近いずれから見ても、人の目に鮮明な緑色植物の景観を作り出すことができ、緑の潤いを提供することができる。【選択図】図１
0003104925.tif 000002
【実用新案登録請求の範囲】
【請求項１】
フェンス周囲の枠に固定される柔軟なフェルト材の表裏面に植物の絵柄模様を緑色系統の色で描出し、フェルト材の残部を無彩色の暗色に施して前記絵柄模様に対する陰影部とすると共に、該陰影部に小孔の通気孔を穿設したことを特徴とする目隠しスクリーン。
【請求項２】
前記絵柄模様が大小の葉の絵柄を分散配置してなることを特徴とする請求項１記載の目隠しスクリーン。
【請求項３】
前記陰影部が黒色であり、前記葉の絵柄の基部に前記陰影部から葉脈を模した黒色の筋目を入れたことを特徴とする請求項２記載の目隠しスクリーン。
【考案の詳細な説明】
【技術分野】
【０００１】
本考案は、マンションのベランダのフェンスを初めとする各所のフェンスに使用して、人の目に鮮明な緑色植物の景観を作り出すことが可能な目隠しスクリーンに関するものである。
【背景技術】
【０００２】
マンションのベランダには、個人の私生活を覗かれるのを防止するために、目隠しを設置することがある。この目隠しは、簡単には葦スダレと称するものをベランダのフェンスに取付けることで足りるが、葦スダレは耐候性に乏しく、風雨に打たれ、日光に曝されることによって、比較的短期間に疲弊し、汚損する。
【０００３】
同様に簡単な方法として、ストライプ柄やクロス柄等の織布を重ね合わせ、簡単に縫合して目隠しシートに仕立てたものも使用されるが、これも耐候性に欠け、簡単に疲弊、汚損する上、単調な柄故、見馴れると違和感がもたらされる。
【０００４】
一方、フェンスの美観を向上させるために、ポリカーボネートやアクリル等の合成樹脂の透明板に花や図形などの絵柄模様を描くか、カラーシートの貼着によって設け、残部に通気孔を形成した化粧パネルを、フェンスに取付けることが提案されている（例えば特許文献１の図１を参照）。
【特許文献１】特開平５−２３１０４９号公報
【考案の開示】
【考案が解決しようとする課題】
【０００５】
上記特許文献１の化粧パネルは、ポリカーボネート等の樹脂板で形成しているため耐候性に優れる。しかし、この化粧パネルは、絵柄模様を描出しているものの透明な樹脂板を使用しているため、目隠しに使用するには適当でない。また樹脂板が重いので、フェンスの周囲の枠にしっかりと固定するには、ボルトやワイヤを使用する必要があり、フェンスへの取り付けが容易でない。また透明の地を背景に絵柄模様を設けるので、地に対する絵柄のコントラストが小さく、葉など植物の絵柄を緑色で描出しても目立たず、人の目に鮮明な緑色植物の景観を作り出すことはできない。
【０００６】
したがって本考案の課題は、フェンスへの取り付けも容易で耐候性にも優れると共に、描出した植物の絵柄がはっきりと目立ち、マンションのベランダを初めとする各所のフェンスに使用して、人の目に鮮明な緑色植物の景観と緑の潤いを提供することが可能な目隠しスクリーンを提供することである。
【課題を解決するための手段】
【０００７】
上記課題を解決するために、本考案の目隠しスクリーは、フェンス周囲の枠に固定される柔軟なフェルト材の表裏面に植物の絵柄模様を緑色系統の色で描出し、フェルト材の残部を濃い無彩色の暗色に施して前記絵柄模様に対する陰影部とすると共に、該陰影部に小孔の通気孔を穿設したことを特徴とする。
【０００８】
本考案では、目隠しスクリーンの素材に柔軟なフェルト材を使用するので、目隠しスクリーンが軽くかつ耐候性に優れたものにでき、フェンスへの取り付けも、通気孔に通した堅縛バンド等の堅縛部材でフェンス周囲の枠に固定することにより容易に行える。またフェルト材の表裏面の植物の絵柄模様を緑色系統の色で描出し、フェルト材の残部を無彩色の暗色にして絵柄模様の陰影部としたので、植物の絵柄が陰影部を背景に大きなコントラストではっきりと浮き出て見え、目隠しスクリーンを遠近いずれから見ても、人の目に鮮明な緑色植物の景観を作り出すことができ、緑の潤いを提供することができる。また植物の絵柄模様であるので、単調なストライプ柄やクロス柄などと比べて、長く見馴れても違和感がもたらされることがない。
【０００９】
この場合、植物の絵柄模様を大小の葉の絵柄を分散配置したものとすると、目隠しスクリーン一杯に樹木などの絵柄を設けるのに比べて、作り出される緑色植物の景観がより自然に近いものとなる。また葉以外の陰影部を特に黒色とすると、葉の絵柄を一段と鮮明に浮き出すことができ、その葉の絵柄の基部に陰影部から葉脈を模した黒色の筋を例えば三筋に入れると、葉の絵柄がより鮮鋭になり、人工的な絵柄でありながら現実感あるものにすることができる。
【考案の効果】
【００１０】
本考案の目隠しスクリーンによれば、フェンスへの取り付けも容易で耐候性にも優れると共に、マンションのベランダのフェンスを初めとする各所のフェンスに使用して、人の目に鮮明な緑色植物の景観と潤いを提供することができる。
【考案を実施するための最良の形態】
【００１１】
以下、図面を参照して本考案の実施例を詳述する。図１は本考案の一実施例に係る目隠しスクリーンを設置したフェンスを示す正面図、図２（ａ）は目隠しスクリーンの一部を示す正面図、同図（ｂ）は図２（ａ）のＡ−Ａ線断面図である。
【００１２】
フェンス８は、ベランダの床９に立設した２本の支柱１０の上端同士に長尺の上フレーム（手摺）１１を渡して、各支柱１０の上端を上フレーム１１に連結し、支柱９の下部同士の間を床９と隙間を存した下フレーム１２で連結し、上下のフレーム１１、１２間に縦方向の桟１３を連結した構造に形成されている。ベランダの長さによっては、フェンス８の隣に同様なフェンスがさらに連続して設けられることがあるが、ここでは省略する。本考案の目隠しスクリーンは、ベランダなどに設置されたフェンスに取付けて、目隠しその他の用途に供すると共に、人の目に鮮明な緑色植物の景観を作り出すのに使用する。
【００１３】
本実施例によれば、目隠しスクリーン１は、耐候性を持たせ、また取り扱いの容易さやフェンスへの取付けの自由度を持たせるために、柔軟なフェルト材を素材とする。フェルト材の材質は例えばポリプロピレン１００％で、厚さは例えば約２.４ｍｍ程度である。フェルト材の寸法は、取付けるフェンス８の大きさにもよるが、一間のフェンス（幅１８００ｍｍ）に対し幅は多少大きめに例えば１８３０ｍｍ程度とする。高さは例えば９２０〜１０３０ｍｍである。
【００１４】
この目隠しスクリーン１は、フェルト材の表裏面に植物の模様として、例えばツタの葉様の緑色の葉の絵柄２を多数枚描出し、そしてその葉の絵柄２をはっきりと浮き出させるために、葉の絵柄２以外の残部を濃い黒色に施して、葉の陰影部３に形成している。葉の絵柄２の緑色は真緑でも、青みがかった緑でも黄色がかった緑でもよく、緑系統の色ならばいずれも可能である。その緑色は、葉の絵柄２を鮮明に描出するために、彩度が高く、明度が高いことがよい。陰影部３の色には、黒色ばかりでなく、灰色等の無彩色を使用することができ、その無彩色は濃色、つまり暗色とする。このように、緑色の葉の陰影部３を無彩色の暗色、特に黒色の濃色で形成すると、葉の絵柄２が陰影部３を背景に大きなコントラストではっきりと浮き出し、目隠しスクリーン１を遠くから見ても、近くから見ても、葉の絵柄２の模様だけがよく見えて、人の目に鮮明な緑色植物の景観を作り出すことができる。
【００１５】
葉の絵柄２についてさらに説明すると、葉の絵柄２は自然な感じを出すために、形状の大小および細部を幾つかに変え、上下左右方向に適宜な間隔で分散している。また各葉の絵柄２は、目隠しスクリーン１を表面から見ても裏面から見ても同一の葉を見ているように、すなわち表裏面の葉の絵柄がぴったりと重なる態様で設けている。また自然に生えているツタの葉が連なったような現実感をもたせるために、ツタの葉様の１５種類ほどの葉の絵柄２を繰り返し描くことによって、葉による模様を表現している。さらに葉柄から連なる葉脈を模した黒色の３つ目筋２ａを陰影部３から葉の絵柄２の基部に入れることによって、葉の絵柄２を鮮鋭にし、人工的な絵柄でありながら現実感あるものにしている。
【００１６】
陰影部３には、孔径１０ｍｍ程度の小孔の通気孔４を適当な間隔で穿設している。その通気孔４の個数は、多すぎると目隠しの役目をしないので、上記した幅１８３０ｍｍ、高さ９２０〜１０３０ｍｍの寸法のフェルト材（目隠しスクリーン）に対し約８００〜１０００固程度である。このような通気孔４を穿設することより、フェルト材を素材とした目隠しスクリーン１に通気性を確保するとともに、風に対する抵抗を低減することができる。この場合、葉の絵柄２が目隠しスクリーン１の同一位置の表裏面に同形で存在するので、表裏面の一方から陰影部３に通気孔４を穿孔することによって、通気孔４を表裏両面で葉の絵柄２の部分に掛けることなく設けることができる。目隠しスクリーン１の左右両端部に位置する通気孔４の幾つかには、スクリーン１をフェンス８に取付けるための塩ビ製のワンタッチ式の堅縛バンド５を挿通する。
【００１７】
このような目隠しスクリーン１を形成するには、図３（ａ）、（ｂ）に示す表面葉型６ａ、裏面葉型６ｂをそれぞれ大小、形を変えて１５個ほど上下左右方向に適当な間隔を開け連結したものを用意する。葉型６ａ同士、葉型６ｂ同士は、それぞれの葉型の裏面間に湾曲した鉄棒を固定することによって連結する。素材として緑色のフェルト材を使用し、フェルト材の表面に連結した表面葉型を当て、その上からフェルト材に黒の耐候性を有するペイントを吹き付けて、葉型６ａ同士の間のフェルト地を黒色に着色する。これをフェルト材の表面全体に施すように、連結した表面葉型の位置をずらして繰返す。フェルト材表面の葉型６ａを当てたところに葉の形に緑のフェルト地が残って、フェルト材に緑色の葉の絵柄２が描出され、葉の絵柄２の間に黒色の陰影部３が形成される。裏面葉型６ｂは、フェルト材の裏面の葉の絵柄が表面の葉の絵柄と重なる態様で形成されるように、表面葉型６ａと左右対称に設け、また裏面葉型６ｂを連結したものも、表面葉型６ａを連結したものと左右対称に設ける。フェルト材の裏面にも、同様にして葉の絵柄２と陰影部３を形成すればよい。
【００１８】
目隠しスクリーン１をフェンス８に取付けるには、フェンス８の隣り合う桟１３に対し目隠しスクリーン１が互い違いに前後するように桟１３の間を畝らせて横方向に挿通し、該目隠しスクリーン１の左右両端部の通気孔４に取付けた各複数本の塩ビ製の堅縛バンド５をフェンス１の左右の各支柱１０にワンタッチ式に固定すればよい。このように目隠しスクリーン１をフェンス８に畝らせて取付けると、目隠しスクリーン１の表裏とも葉の絵柄２による模様に立体的な深みを出せることができ、葉の絵柄２の模様によって作り出される緑色植物の景観をより自然なものにすることができる。なお、目隠しスクリーン１の上下両端にも塩ビ製の堅縛バンド５等の堅縛材を設けて、スクリーン１を上下のフレーム４、５にも固定することができる。
【００１９】
本実施例の目隠しスクリーンは以上のように構成され、黒色の陰影部３を背景に緑の葉の絵柄２を描出しているので、目隠しスクリーン１上で葉の絵柄２がはっきりと浮き出して見え、フェンスに設置した目隠しスクリーン１を遠くから見ても、近くから見ても、葉の絵柄２による模様だけがよく見えて、人の目に鮮明な緑色植物の景観を作り出すことができ、緑の潤いを提供することができる。また居室の内側から見ても緑の潤いを提供することができる。勿論、居室の目隠し効果もある。また植物の葉の絵柄模様であるので、長く見馴れても違和感がもたらされることがない。
【００２０】
以上の実施例では、本考案の目隠しスクリーンをベランダのフェンスに設置する場合を例にとって説明したが、本考案はこれに限定されるものではなく、公園やグラウンドを囲むフェンス、歩道橋の手摺であるフェンス、あるいは車道と歩道とを仕切るフェンスに用いて、緑の景観と潤いを提供することができる。また高速道路や主要道路の中央分離帯に設置されたフェンスに、本考案の目隠しスクリーンを用いれば、昼夜を問わず対向車輌の視界保護と安全に寄与することができる。
【産業上の利用可能性】
【００２１】
本考案の目隠しスクリーンは、多種多様なフェンスに設置可能であり、公園やグラウンドを囲むフェンス、歩道橋の手摺であるフェンス、あるいは車道と歩道とを仕切るフェンス、さらには高速道路や主要道路の中央分離帯に設置されたフェンスに設置することができる。
【図面の簡単な説明】
【００２２】
【図１】本考案の一実施例に係る目隠しスクリーンを設置したフェンスを示す正面図である。
【図２】図１の目隠しスクリーンの一部を示す正面図（ａ）およびそのＡ−Ａ線断面図（ｂ）である。
【図３】図１の目隠しスクリーンの表裏面に葉の絵柄を描出するのに使用する表面葉型の平面図（ａ）および裏面葉型の平面図（ｂ）である。
【符号の説明】
【００２３】
１  目隠しスクリーン                  ２  葉の絵柄
２ａ  ３つ目筋                        ３  陰影部
４  通気孔                            ５  堅縛バンド
６ａ、６ｂ  葉型                      ８  フェンス
１０  支柱                            １３  桟
【図１】
0003104925.tif 000003
【図２】
0003104925.tif 000004
【図３】
0003104925.tif 000005